(57)【特許請求の範囲】
【請求項１】
容器内に移動体及び螺合部を具備し、
容器前部と当該容器前部に相対回転可能とされた容器後部とが一方向に相対回転されると、前記螺合部の螺合作用が働き前記移動体が前進し、容器先端の開口から塗布材が押し出され、前記容器前部と前記容器後部とが前記一方向の反対方向である他方向に相対回転されると、前記螺合部の螺合作用が働き前記移動体が後退する塗布材押出容器であって、
前記相対回転に従う前記移動体の移動に伴いクリック感を付与するためのクリック歯と、所定の弾性力を有する弾性体と、を備え、
前記弾性体は、
前記クリック歯の一方を前記クリック歯の他方に向けて付勢すると共に、
前記他方向の前記相対回転で前記移動体が後退し前記螺合部の螺合作用が開放されたとき、前記一方向の前記相対回転で前記螺合部が螺合復帰するように前記螺合部を付勢することを特徴とする塗布材押出容器。
【請求項２】
容器内に移動体及び螺合部を具備し、
容器前部と当該容器前部に相対回転可能とされた容器後部とが一方向に相対回転されると、前記螺合部の螺合作用が働き前記移動体が前進し、容器先端の開口から塗布材が押し出され、前記容器前部と前記容器後部とが前記一方向の反対方向である他方向に相対回転されると、前記螺合部の螺合作用が働き前記移動体が後退する塗布材押出容器であって、
前記相対回転に従う前記移動体の移動に伴いクリック感を付与するためのクリック歯と、所定の弾性力を有する弾性体と、を備え、
前記弾性体は、
前記クリック歯の一方を前記クリック歯の他方に向けて付勢すると共に、
前記一方向の前記相対回転で前記移動体が前進し前記螺合部の螺合作用が開放されたとき、前記他方向の前記相対回転で前記螺合部が螺合復帰するように前記螺合部を付勢することを特徴とする塗布材押出容器。
【請求項３】
容器内に移動体及び螺合部を具備し、
容器前部と当該容器前部に相対回転可能とされた容器後部とが一方向に相対回転されると、前記螺合部の螺合作用が働き前記移動体が前進し、容器先端の開口から塗布材が押し出され、前記容器前部と前記容器後部とが前記一方向の反対方向である他方向に相対回転されると、前記螺合部の螺合作用が働き前記移動体が後退する塗布材押出容器であって、
前記相対回転に従う前記移動体の移動に伴いクリック感を付与するためのクリック歯と、所定の弾性力を有する弾性体と、を備え、
前記弾性体は、
前記クリック歯の一方を前記クリック歯の他方に向けて付勢すると共に、
前記他方向の前記相対回転で前記移動体が後退し前記螺合部の螺合作用が開放されたとき、前記一方向の前記相対回転で前記螺合部が螺合復帰するように前記螺合部を付勢し、
前記一方向の前記相対回転で前記移動体が前進し前記螺合部の螺合作用が開放されたとき、前記他方向の前記相対回転で前記螺合部が螺合復帰するように前記螺合部を付勢することを特徴とする塗布材押出容器。
【請求項４】
前記螺合部の一方を構成する雄螺子は、前記移動体に設けられており、
前記移動体は、移動方向と交差する方向に突出する突起を有し、
前記他方向の前記相対回転で前記移動体が後退し前記螺合部の螺合作用が開放された状態において前記突起で前記弾性体を圧縮させることにより、前記移動体が前方に付勢されることを特徴とする請求項１又は３記載の塗布材押出容器。
【請求項５】
前記弾性体は、前記移動体に外挿され、
前記移動体は、棒状を呈し、前記弾性体に対し軸線方向移動可能とされ、
前記他方向の前記相対回転で前記移動体が後退し前記螺合部の螺合作用が開放された状態において、前記弾性体の後退を阻止するように前記弾性体を前記容器に係止しつつ、前記突起で前記弾性体を後方に押し付けることにより、前記弾性体を圧縮させることを特徴とする請求項４記載の塗布材押出容器。
【請求項６】
前記螺合部の他方を構成する雌螺子は、円筒状の雌螺子部材に設けられており、
前記一方向の前記相対回転で前記移動体が前進し前記螺合部の螺合作用が開放された状態において前記雌螺子部材を軸線方向に移動させて前記弾性体を圧縮させることにより、前記雌螺子部材が前方に付勢されることを特徴とする請求項２又は３記載の塗布材押出容器。
【請求項７】
前記移動体は、棒状を呈し、その外周面に前記螺合部の一方を構成する雄螺子が設けられており、
前記一方向の前記相対回転で前記移動体が前進し前記螺合部の螺合作用が開放された状態において、前記弾性体の後退を阻止するように該弾性体を前記容器に係止しつつ、前記移動体の前進に伴う反作用で前記雌螺子部材を後方に移動させ該雌螺子部材で前記弾性体を後方に押し付けることにより、前記弾性体を圧縮させることを特徴とする請求項６記載の塗布材押出容器。
【発明の詳細な説明】
【技術分野】
【０００１】
本発明は、塗布材を押し出して使用するための塗布材押出容器に関する。
【背景技術】
【０００２】
従来の塗布材押出容器としては、例えば特許文献１に記載されているものが知られている。この塗布材押出容器では、本体筒（容器前部）と操作筒（容器後部）とが一方向に相対回転されると、螺合部の螺合作用が働き移動体が前進し、塗布用充填物（塗布材）が容器先端の開口から押し出される一方、本体筒と操作筒が他方向に相対回転されると、螺合部の螺合作用が働き移動体が後退する。また、この塗布材押出容器は、クリック歯及び圧縮バネ部（弾性体）を備えており、移動体の前進時及び後退時において圧縮バネ部でクリック歯の一方が他方に向けて付勢される。よって、移動体の移動に伴ってクリック感が生じ、移動体の前進具合や戻し具合を使用者に感知させることが可能である。
【０００３】
また、従来の塗布材押出容器としては、例えば特許文献２に記載されているものも知られている。この塗布材押出容器では、芯保持軸（移動体）の後端に設けられた芯保持軸突起（螺合部の雄螺子）がラセン筒に設けられたラセン溝（螺合部の雌螺子）に螺合されており、先筒（容器前部）と回し筒（容器後部）とが一の方向に相対回転されると、ラセン筒のラセン溝と保持軸突起との螺合作用が働き芯保持軸が前進し、容器の先端から化粧料芯（塗布材）が押し出される一方、先筒と回し筒とが他方向に相対回転されると、ラセン溝と保持軸突起との螺合作用が働き芯保持軸が後退する。そして、この塗布材押出容器では、他方向の相対回転で芯保持軸が後退し保持軸突起がラセン溝の後端から外れたとき、保持軸突起がラセン筒の後端と弾力性部材（弾性体）の前端との間に入り込み、弾力性部材が後方へ押しやられて弾力性部材が圧縮され、保持軸突起が前方へ押し戻される。よって、保持軸突起がラセン溝の後端から外れた後に先筒と回し筒とを一方向に相対回転させると、ラセン溝と保持軸突起とを螺合復帰させることが可能である。
【特許文献１】特開２００６−１５００９８号公報
【特許文献２】実公平３−１７７８７号公報
【発明の開示】
【発明が解決しようとする課題】
【０００４】
ここで、上述したような塗布材押出容器において、移動体の移動でクリック感を生じさせると共に螺合部の螺合作用が開放された際に該螺合部を螺合復帰可能とする場合、次の問題がある。すなわち、クリック歯の一方を他方に付勢する弾性体と、螺合作用が開放された際に螺合部を付勢する弾性体とがそれぞれ別部品で設けられることになるため、部品点数が多くなってしまうという問題がある。
【０００５】
そこで、本発明は、移動体の移動でクリック感を生じさせると共に螺合部の螺合作用が開放された際に螺合復帰可能とし、且つ部品点数を低減することができる塗布材押出容器を提供することを課題とする。
【課題を解決するための手段】
【０００６】
上記課題を解決するために、本発明に係る塗布材押出容器は、容器内に移動体及び螺合部を具備し、容器前部と当該容器前部に相対回転可能とされた容器後部とが一方向に相対回転されると、螺合部の螺合作用が働き移動体が前進し、容器先端の開口から塗布材が押し出され、容器前部と容器後部とが一方向の反対方向である他方向に相対回転されると、螺合部の螺合作用が働き移動体が後退する塗布材押出容器であって、相対回転に従う移動体の移動に伴いクリック感を付与するためのクリック歯と、所定の弾性力を有する弾性体と、を備え、弾性体は、クリック歯の一方をクリック歯の他方に向けて付勢すると共に、他方向の相対回転で移動体が後退し螺合部の螺合作用が開放されたとき、一方向の相対回転で螺合部が螺合復帰するように螺合部を付勢することを特徴とする。
【０００７】
また、本発明に係る塗布材押出容器は、容器内に移動体及び螺合部を具備し、容器前部と当該容器前部に相対回転可能とされた容器後部とが一方向に相対回転されると、螺合部の螺合作用が働き移動体が前進し、容器先端の開口から塗布材が押し出され、容器前部と容器後部とが一方向の反対方向である他方向に相対回転されると、螺合部の螺合作用が働き移動体が後退する塗布材押出容器であって、相対回転に従う移動体の移動に伴いクリック感を付与するためのクリック歯と、所定の弾性力を有する弾性体と、を備え、弾性体は、クリック歯の一方をクリック歯の他方に向けて付勢すると共に、一方向の相対回転で移動体が前進し螺合部の螺合作用が開放されたとき、他方向の相対回転で螺合部が螺合復帰するように螺合部を付勢することを特徴とする。
【０００８】
このような塗布材押出容器では、弾性体は、クリック歯の一方を他方に向けて付勢し、移動体の移動に伴うクリック感を生じさせる。加えて、この弾性体にあっては、他方向の相対回転で移動体が後退し螺合部の螺合作用が開放されたとき、又は一方向の相対回転で移動体が前進し螺合部の螺合作用が開放されたとき、それとは反対方向の相対回転で螺合部が螺合復帰するように螺合部を付勢する。すなわち、本発明によれば、一の弾性体を共用して、移動体の移動によるクリック感の付与と螺合作用が開放された螺合部の螺合復帰との双方を実現することができる。従って、移動体の移動でクリック感を生じさせると共に螺合部の螺合作用が開放された際に螺合復帰可能とし、且つ部品点数を低減することができる。
【０００９】
また、本発明に係る塗布材押出容器は、容器内に移動体及び螺合部を具備し、容器前部と当該容器前部に相対回転可能とされた容器後部とが一方向に相対回転されると、螺合部の螺合作用が働き移動体が前進し、容器先端の開口から塗布材が押し出され、容器前部と容器後部とが一方向の反対方向である他方向に相対回転されると、螺合部の螺合作用が働き移動体が後退する塗布材押出容器であって、相対回転に従う移動体の移動に伴いクリック感を付与するためのクリック歯と、所定の弾性力を有する弾性体と、を備え、弾性体は、クリック歯の一方をクリック歯の他方に向けて付勢すると共に、他方向の相対回転で移動体が後退し螺合部の螺合作用が開放されたとき、一方向の相対回転で螺合部が螺合復帰するように螺合部を付勢し、一方向の相対回転で移動体が前進し螺合部の螺合作用が開放されたとき、他方向の相対回転で螺合部が螺合復帰するように螺合部を付勢することを特徴とする。
【００１０】
この塗布材押出容器においても、上記作用効果、すなわち、移動体の移動でクリック感を生じさせると共に螺合部の螺合作用が開放された際に螺合復帰可能とし、且つ部品点数を低減することができるという効果を奏する。特に、この塗布材押出容器では、移動体が後退して螺合部の螺合作用が開放された際と、移動体が前進して螺合部の螺合作用が開放された際との双方において螺合復帰可能となる。
【００１１】
また、螺合部の一方を構成する雄螺子は、移動体に設けられており、移動体は、移動方向と交差する方向に突出する突起を有し、他方向の相対回転で移動体が後退し螺合部の螺合作用が開放された状態において突起で弾性体を圧縮させることにより、移動体が前方に付勢されることが好ましい。この場合、他方向の相対回転で移動体が後退し、突起で弾性体が圧縮される。そして、螺合作用が開放された状態において、弾性体の圧縮弾性力が移動体に付与されて該移動体が前方に付勢される。よって、その後の一方向の相対回転で、螺合部を螺合復帰させることが可能となる。
【００１２】
このとき、弾性体は、移動体に外挿され、移動体は、棒状を呈し、弾性体に対し軸線方向移動可能とされ、他方向の相対回転で移動体が後退し螺合部の螺合作用が開放された状態において、弾性体の後退を阻止するように弾性体を容器に係止しつつ、突起で弾性体を後方に押し付けることにより、弾性体を圧縮させる場合がある。
【００１３】
また、螺合部の他方を構成する雌螺子は、円筒状の雌螺子部材に設けられており、一方向の相対回転で移動体が前進し螺合部の螺合作用が開放された状態において雌螺子部材を軸線方向に移動させて弾性体を圧縮させることにより、雌螺子部材が前方に付勢されることが好ましい。この場合、一方向の相対回転で移動体が前進し、例えば、かかる前進に伴う反作用よって雌螺子部材が後方に移動されて弾性体が圧縮される。そして、螺合作用が開放された状態において、弾性体の圧縮弾性力が雌螺子部材に付与されて該雌螺子部材が前方に付勢される。よって、その後の他方向の相対回転で、螺合部を螺合復帰させることが可能となる。
【００１４】
このとき、移動体は、棒状を呈し、その外周面に螺合部の一方を構成する雄螺子が設けられており、一方向の相対回転で移動体が前進し螺合部の螺合作用が開放された状態において、弾性体の後退を阻止するように該弾性体を容器に係止しつつ、移動体の前進に伴う反作用で雌螺子部材を後方に移動させ該雌螺子部材で弾性体を後方に押し付けることにより、弾性体を圧縮させる場合がある。
【発明の効果】
【００１５】
本発明によれば、移動体の移動でクリック感を生じさせると共に螺合部の螺合作用が開放された際に螺合復帰可能とし、且つ部品点数を低減することができる。
【発明を実施するための最良の形態】
【００１６】
以下、本発明の好適な実施形態について、図面を参照して詳細に説明する。なお、以下の説明において同一又は相当要素には同一符号を付し、重複する説明は省略する。
【００１７】
図１，２は本発明の第１実施形態に係る塗布材押出容器の初期状態を示す縦断面図、図３は操作筒を示す断面斜視図、図４は移動体を示す斜視図、図５はクリック雌螺子部材を示す断面斜視図、図６はバネ部材を示す斜視図である。本実施形態の塗布材押出容器は、塗布材を収容すると共に使用者の操作で押し出し及び引き戻し可能とするものである。
【００１８】
塗布材としては、例えば、リップグロス、リップ、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等を用いることが可能である。
【００１９】
図１に示すように、塗布材押出容器１００は、塗布材Ｍが充填される充填領域２ｘを内部に備えた円筒状の本体筒２と、本体筒２の前端部に装着され充填領域２ｘから押し出される塗布材Ｍを皮膚に塗布するための塗布具（容器先端）７と、本体筒２の後端部に相対回転可能且つ軸線方向離脱不能に連結された有底円筒状の操作筒３と、を外形構成として具備し、本体筒２及び塗布具７により容器前部を構成すると共に、操作筒３により容器後部を構成している。そして、本体筒２の前端側には、保護部材としてのキャップ１０が塗布具７を覆うように着脱可能に装着されている。なお、「軸線」とは、塗布材押出容器１００の前後に延びる中心線を意味する（以下、同じ）。
【００２０】
また、この塗布材押出容器１００の内部には、先端部にピストン９を備え塗布材Ｍを押し出すための棒状の移動体４と、移動体４に螺合部８を介して螺合され且つクリック感を付与するためのクリック雌螺子部材５と、クリック雌螺子部材５と協働してクリック感を付与し且つ螺合部８の螺合復帰を可能にするバネ部材６とが配設されている。
【００２１】
図３に示すように、操作筒３は、段付き円筒状に構成され、後側の外径大径部３ｘと、段差部３ｐを介してこれより前側の外径小径部３ｙとを備えている。操作筒３の内周面３ａにおいて前端部には、周方向に多数の凹凸部が並設されて当該凹凸部が軸線方向に所定長延びるローレット３１が設けられている。また、ローレット３１の後側から後端部に亘る内周面３ａにおいて周方向に沿う六等配の位置には、移動体４と回転方向に係合するためのものとして、軸線方向に延びる突条３２が設けられている。外径小径部３ｙの外周面には、本体筒２に軸線方向に係合するための環状凸部３３が設けられている。
【００２２】
この操作筒３は、図１に示すように、その外径小径部３ｙが本体筒２に内挿され、その環状凸部３３が本体筒２に軸線方向に係合することで、本体筒２に対し回転可能且つ軸線方向離脱不能に装着されている。
【００２３】
図４に示すように、移動体４は、円柱形状の外周に二平面部４１ａ，４１ａを対向して設けた形状をなす軸体４１を備えている。換言すると、移動体４は、円柱形状の一部をカットするように形成されたカット面としての二平面部４１ａ，４１ａが軸線方向と直交する方向に対向して配設された軸体４１を備えている。
【００２４】
軸体４１の二平面部４１ａ，４１ａを除く外周面４１ｂには、操作筒３の対向する突条３２が係合するものとして、軸線方向の略全長に亘って延在する溝部４４が対向して設けられている。この外周面４１ｂは、軸線方向に段付き状に構成され、後側の大径外周面４１ｂｘと、これより前側の小径外周面４１ｂｙとを有している。小径外周面４１ｂｙにおいて前端部及び後端部を除く領域には、螺合部８の一方を構成する雄螺子８ａが軸線方向に沿って設けられている。ここでは、好ましいとして、螺合部８を一条螺子としている。
【００２５】
各二平面部４１ａ，４１ａの先端側には、バネ部材６を圧縮させるためのものとして、軸線方向視において半月状に突出する突起４３がそれぞれ設けられている。ここでの突起４３は、螺合部８の螺合作用が開放された状態でバネ部材６に当接可能な軸線方向の位置に設けられている（詳しくは後述）。
【００２６】
また、移動体４は、ピストン９を軸線方向に係合するためのものとして、軸体４１の先端側に設けられ横断面円形状の鍔部４２を備えている。
【００２７】
この移動体４は、図１に示すように、操作筒３に内挿されると共に、その溝部４４が操作筒３の突条３２に係合することで、操作筒３に同期回転可能且つ軸線方向移動可能に装着されている。また、移動体４は、その鍔部４２にピストン９が係合することで、該ビストン９を所定長の隙間Ｓ１（いわゆる遊び：図７参照）だけ軸線方向移動可能にして装着している。
【００２８】
図５に示すように、クリック雌螺子部材５は、外筒５１と、この外筒５１と同軸で内側に配置された内筒５２と、外筒５１の軸線方向略中央及び内筒５２の後端に連設されてこれらを連結する円環状の連結部５３と、を備えている。
【００２９】
外筒５１の外周面には、本体筒１に係合するものとして、軸線方向に所定長延びる突条５１ｄが周方向に沿って複数設けられている。内筒５２の内周面の略全域には、螺合部８の他方を構成する雌螺子８ｂが軸線方向に沿って設けられている。なお、この雌螺子８ｂの軸線方向長さに対応するようにして、移動体４の軸体４１の小径外周面４１ｂｙにおいて雄螺子８ａが設けられていない前端部及び後端部の軸線方向長さが設定されている。
【００３０】
連結部５３は、その後面に周方向に沿って複数設けられ、後方に突出するクリック歯５４を有している。クリック歯５４は、移動体４の移動に伴うクリック感を付与するためのものであり、周方向の一方側に傾斜する鋸歯状に構成されている。ここでのクリック歯５４は、周方向に沿う８等配の位置（すなわち、円周方向４５°ごと）に設けられている。
【００３１】
このクリック雌螺子部材５は、図１に示すように、その前側から本体筒２に内挿されると共に、その外筒５１の突条５１ｄが、本体筒１に軸線周り回転方向に係合することにより、本体筒１に対して同期回転可能とされている。そして、クリック雌螺子部材５は、その雌螺子８ｂが移動体４の雄螺子８ａに螺合した状態とされている。また、クリック雌螺子部材５は、本体筒２の内周面の傾斜面２ｂによって該傾斜面２ｂよりも前方への移動が阻止されていると共に、操作筒３の前端面によって該前端面よりも後方への移動が阻止されており、塗布材押出容器１００内の本体筒２の傾斜面２ｂと操作筒３の前端面との間において、所定長の隙間Ｓ２（いわゆる遊び）だけ軸線方向移動可能に配設されている。
【００３２】
図６に示すように、バネ部材６は、後側に開口する有底円筒状に構成され、バネ部６１と、このバネ部６１の前端側の円板部６２と、を備えている。バネ部６１は、外周面に沿って螺旋状に延び内外を連通するスリット６１ａを有している。このスリット６１ａにより、バネ部６１は、軸線方向に伸縮可能な樹脂バネとされ、軸線方向に所定の弾性力を有する弾性体を構成する（以下、弾性体６１と称す）。なお、ここでの弾性体６１の弾性力は、後述のクラッチ作用を好適に機能させるために好ましいとして、移動体４の前進に伴う反作用よりも小さいものとされている。
【００３３】
円板部６２には、軸体４１の外形形状に対応する形状の貫通孔６３が形成されている。つまり、円板部６２における貫通孔６３の内面は、曲面部６３ａ，６３ａ及び二平面部６３ｂ，６３ｂを有するような断面非円形形状とされている。これにより、バネ部材６は、移動体４の軸体４１に回転方向に係合可能とされている。加えて、その貫通孔６３内に、軸体４１の雄螺子８ａが軸線方向に通過可能とされる一方で軸体４１の突起４３が通過不能とされ、よって、突起４３と軸線方向に係合可能とされている。
【００３４】
また、円板部６２は、その前面に周方向に沿って複数設けられ前方に突出するクリック歯６４を備えている。クリック歯６４は、上記クリック歯５４と協働して移動体４の移動に伴うクリック感を付与するためのものであり、周方向に沿って登り傾斜と下り傾斜を半々に有する山型に構成されている。このクリック歯６４は、円周非等分の８箇所に設けられている。具体的には、クリック歯６４は、円周方向９０°ごとの４箇所と、この４箇所のうちの対向する２箇所から時計回り、反時計回りに各々２２．５°回転した４箇所とに設けられている。このように、一方のクリック歯５４を鋸歯状に構成し、他方のクリック歯６４を山型に構成することにより、繰出し時のクリック感と繰戻し時のクリック感とを互いに変化させることができる。
【００３５】
このバネ部材６は、図１に示すように、クリック雌螺子部材５の連結部５３と操作筒３の突条３２との間において、その弾性体６１が軸線方向に所定量圧縮した状態となるように連結部５３と突条３２との間に挟み付けられて配置されている。具体的には、バネ部材６は、その前側からクリック雌螺子部材５の外筒５１に内挿されると共に、その後側から操作筒３の外径小径部３ｙに内挿され、その後面が突条３２に突き当てられる。これにより、図２に示すように、バネ部材６では、その円板部６２のクリック歯６４が弾性体６１の圧縮でクリック雌螺子部材５のクリック歯５４に向けて付勢され、クリック歯６４がクリック歯５４に軸線周り回転方向に係合可能（噛合可能）とされている。また、円板部６２の貫通孔６３が非円形とされ、その前側から移動体４の軸体４１に嵌め合うよう外挿されることで、バネ部材６が移動体４に同期回転可能、且つその円板部６２が軸線方向移動可能に装着されている。
【００３６】
なお、本実施形態では、本体筒２、操作筒３、移動体４、クリック雌螺子部材５及びバネ部材６等の塗布材押出容器１００を構成する各部品は、樹脂による射出成形品とされている。
【００３７】
以上のように構成された塗布材押出容器１００にあっては、本体筒２と操作筒３とが繰出し方向（一方向）に相対回転されると、クリック雌螺子部材５と移動体４とが相対回転すると共に、クリック歯５４，６４も同期して相対回転する。これにより、螺合部８の螺合作用が作動して移動体４及びピストン９が前進し、塗布具７の先端の開口から塗布材Ｍが押し出される。加えて、弾性体６１がクリック歯６４をクリック歯５４に付勢することから、移動体４の前進の際、クリック歯５４，６４同士の係合及び係合解除が繰り返され、かかる係合及び係合解除の度に使用者にクリック感（抵抗感）が付与されることになり、塗布材Ｍの吐出量を調整することが容易になる。
【００３８】
また、本体筒２と操作筒３とが繰戻し方向（他方向）に相対回転されると、クリック雌螺子部材５と移動体４とが相対回転すると共に、クリック歯５４，６４も同期して相対回転する。これにより、螺合部８の螺合作用が作動して移動体４及びピストン９が後退する。加えて、弾性体６１がクリック歯６４をクリック歯５４に付勢することから、移動体４の後退の際、クリック歯５４，６４同士の係合及び係合解除が繰り返され、かかる係合及び係合解除の度に使用者にクリック感が付与されることになり、ピストン９の後退による本体筒２及び塗布具７内の減圧作用で出過ぎた塗布材Ｍを引き戻すことになる。
【００３９】
ここで、図７に示すように、移動体４が初期状態である後退限に位置する場合において、本体筒２と操作筒３とが繰戻し方向に相対回転されると、移動体４の後退に伴って該移動体４の雄螺子８ａがクリック雌螺子部材５の雌螺子８ｂの後端から外れ、螺合部８の螺合作用が開放される（つまり、クラッチ作用が機能する）。これと共に、バネ部材６の後退が阻止されるように該バネ部材６が操作筒３の突条３２に係止されつつ、移動体４の突起４３がバネ部材６の前面に当接され、突起４３によってバネ部材６が後方（後退方向）に押し付けられ、バネ部材６の弾性体６１が圧縮される。よって、この螺合作用が開放された状態においては、弾性体６１の圧縮弾性力が移動体４の突起４３に付与され、移動体４が螺進方向である前方（前進方向）に付勢されることとなる。従って、移動体４が後退して螺合作用が開放された後、本体筒２と操作筒３とを繰出し方向に相対回転すると、移動体４の雄螺子８ａがクリック雌螺子部材５の雌螺子８ｂの後端に螺合されて螺合部８が螺合復帰される。
【００４０】
一方、図８に示すように、初期状態から本体筒２と操作筒３とが繰出し方向に相対回転され、螺合部８の螺合作用が所定量働いて移動体４が前進すると、移動体４の前進に伴う反作用（例えば、ピストン９の摺動抵抗、塗布材Ｍを押し出すことによる抵抗力や移動体４の前進に対する反力等の影響による力）によってクリック雌螺子部材５が後方に隙間Ｓ２（図７参照）だけ移動される。そして、バネ部材６の後退が阻止されるように該バネ部材６が操作筒３の突条３２に係止されつつ、移動されたクリック雌螺子部材５によってバネ部材６が後方に押し付けられ、バネ部材６の弾性体６１が圧縮される。
【００４１】
そして、図９に示すように、本体筒２と操作筒３との繰出し方向への相対回転が続けられて移動体４が前進限に位置する場合において、本体筒２と操作筒３とが繰出し方向にさらに相対回転されると、移動体４の前進に伴って該移動体４の雄螺子８ａがクリック雌螺子部材５の雌螺子８ｂの前端から外れ、螺合部８の螺合作用が開放される（つまり、クラッチ作用が機能する）。ここで、この螺合作用が開放された状態においては、上述したように、移動されたクリック雌螺子部材５で弾性体６１が圧縮されていることから、弾性体６１の圧縮弾性力がクリック雌螺子部材５に付与され、該クリック雌螺子部材５が螺進方向である前方に付勢される。従って、移動体４が前進して螺合作用が開放された後、本体筒２と操作筒３とを繰戻し方向に相対回転すると、移動体４の雄螺子８ａがクリック雌螺子部材５の雌螺子８ｂの前端に螺合されて螺合部８が螺合復帰される。
【００４２】
以上、本実施形態によれば、弾性体６１は、クリック歯６４をクリック歯５４に向けて付勢する。これにより、移動体４の移動に伴ってクリック歯５４，６４同士が係合及び係合解除を繰り返し実施され、常時、クリック感を生じさせることができる。加えて、この弾性体６１にあっては、繰戻し方向の相対回転で移動体４が後退し螺合部８の螺合作用が開放されたとき、及び繰出し方向の相対回転で移動体４が前進し螺合部８の螺合作用が開放されたとき、それとは反対方向の相対回転で螺合部８が螺合復帰するように螺合部８を付勢する。これにより、移動体４が移動して螺合作用が開放された後、螺合部８を螺合復帰させることが可能となる。
【００４３】
すなわち、本実施形態の塗布材押出容器１００では、一の弾性体６１を共用して、移動体４の移動によるクリック感の付与と螺合作用が開放された螺合部８の螺合復帰との双方を実現することが可能となる。従って、移動体４の移動でクリック感を生じさせると共に螺合部８の螺合作用が開放された際に螺合復帰可能とし、且つ部品点数を低減することができる。特に、本実施形態においては、移動体４が後退して螺合部８の螺合作用が開放された際と、移動体４が前進して螺合部８の螺合作用が開放された際との双方において螺合復帰可能となる。
【００４４】
また、本実施形態では、上述したように、螺合部８が一条螺子とされている。よって、繰戻し方向の相対回転で移動体４が後退し螺合部８の螺合作用が開放されたとき、及び繰出し方向の相対回転で移動体４が前進し螺合部８の螺合作用が開放されたとき、同方向にさらに相対回転すると、螺合部８の雄螺子８ａ及び雌螺子８ｂの当接によって相対回転１回転当り１回のクリック感が生じる。つまり、本実施形態によれば、移動体４の移動に伴って常時生じるクリック感と、螺合部８の螺合作用が開放された際のクリック感との２タイプのクリック感を発生させることができ、使用者が前進限又は後退限を感知することが可能となる。
【００４５】
また、本実施形態では、上述したように、移動体４の後退限時及び前進限時において、螺合部８の螺合作用を開放することから、本体筒２と操作筒３との相対回転が続けられても螺合部８に負荷がかからないため、螺合部８の破損を抑制することができ、ひいては、塗布材押出容器１００の各部品の破損を抑制することが可能となる。
【００４６】
また、本実施形態では、上述したように、雄螺子８ａが、移動体４の軸体４１の小径外周面４１ｂｙにおいて前端部及び後端部以外の領域に設けられている。よって、例えば図９に示すように、雄螺子８ａが設けられていない軸体４１の領域にクリック雌螺子部材５を位置させて移動体４とクリック雌螺子部材５とを互いに組み付け、この状態で塗布材押出容器１００を組み立てることで、移動体４の雄螺子８ａとクリック雌螺子部材５の雌螺子８ｂとの螺込みを事前に行うことが不要になる。その結果、塗布材押出容器１００の組立を容易化することが可能となる。
【００４７】
なお、本実施形態では、前述のように、弾性体５１の弾性力によって螺合部８が螺合復帰するように付勢されたが、塗布材押出容器１００の各部品自体が弾性変形（樹脂変形）して歪む（撓む）ことによる弾性力によって螺合部８が螺合復帰するように付勢されてもよい。例えば、前進限で螺合作用が開放された際、ピストン９変形の復帰力を弾性力とすることができる。
【００４８】
また、上記クラッチ作用及び螺合部８の螺合復帰を好適に実現すべく、クリック雌螺子部材５が本体筒１内で隙間Ｓ２だけ軸線方向移動可能に配設されると共に、移動体４がビストン９に対し隙間Ｓ１だけ軸線方向移動可能に装着されているが、塗布材押出容器１００の各部品自体が変形することを考慮すると、場合によっては、隙間Ｓ１，Ｓ２を設けなくともよい。
【００４９】
次に、本発明の第２実施形態に係る塗布材押出容器について説明する。
【００５０】
図１０は本発明の第２実施形態に係る塗布材押出容器の初期状態を示す断面図、図１１はバネ部材のバネ受けを示す断面斜視図である。図１０に示すように、本実施形態の塗布材押出容器２００が上記塗布材押出容器１００（図１参照）と異なる点は、樹脂により一体形成されたバネ部材６に代えて、バネ部材７１を備えた点である。
【００５１】
バネ部材７１は、金属コイルバネであるコイルバネ７２を有している。コイルバネ７２は、軸線方向に所定の弾性力を有する弾性体を構成する（以下、弾性体７２と称す）。また、バネ部材７１は、図１１に示すように、コイルバネ７２による付勢力を受けるバネ受け７３を有している。バネ受け７３は、樹脂による射出成形品とされており、後側に開口する有底円筒状に構成されている。このバネ受け７３は、円筒部７４と、円筒部７４の前端側の円板部６２と、を備えている。円筒部７４は、その軸線方向の長さが弾性体７２の軸線方向長さよりも短くされている。
【００５２】
このバネ部材７１では、図１０に示すように、コイルバネ７２がバネ受け７３に同軸に内挿され、弾性体７２がバネ受け７３の円板部６２の後面に突き当てられることで、弾性体７２の前端部がバネ受け７３内に収容されている。そして、バネ部材７１は、クリック雌螺子部材５の連結部５３と操作筒３の突条３２との間において、その弾性体７２が軸線方向に所定量圧縮した状態となるように連結部５３と突条３２との間に挟み付けられて配置されている。
【００５３】
図１２は、図１０に示す塗布材押出容器の図７に対応する拡大断面斜視図であり、図１３は、図１０に示す塗布材押出容器の図９に対応する拡大断面斜視図である。図１２，１３に示すように、本実施形態の塗布材押出容器２００においても、上記塗布材押出容器１００と同様な作用が発揮される。
【００５４】
以上、本実施形態によれば、上記効果と同様な効果、すなわち、移動体４の移動でクリック感を生じさせると共に螺合部８の螺合作用が開放された際に螺合復帰可能とし、且つ部品点数を低減するという効果が奏される。また、本実施形態では、上述したように、金属コイルバネが弾性体７２として用いられているため、例えば高温条件での放置等によって弾性体７２が塑性変形するのを抑制することができる。
【００５５】
以上、本発明をその実施形態に基づき具体的に説明したが、本発明は上記実施形態に限
定されるものではない。
【００５６】
例えば、上記実施形態では、バネ部材６，７１を後方に押し付けて弾性体６１，７２を圧縮するため、移動体４の前進に伴う反作用によってクリック雌螺子部材５を後方に隙間Ｓ２だけ移動させたが、例えば、次に示すようにしてクリック雌螺子部材７１を後方に移動させてもよい。すなわち、本体筒２と操作筒３とが繰出し方向に相対回転されて螺合部８の螺合作用が開放される前に、ピストン９を本体筒２内で軸線方向に係合し、このピストン９に移動体４を軸線方向に当接させることで、移動体４の前進を阻止した状態とする。そして、この状態で本体筒２と操作筒３とを繰出し方向にさらに相対回転し、移動体４を前進させずに螺合部８の螺合作用を働かせることで、クリック雌螺子部材５を後方に移動させてもよい。
【００５７】
また、上記実施形態では、移動体が前進及び後退して螺合部の螺合作用が開放されたときの双方において螺合復帰するように弾性体が螺合部を付勢するが、移動体が前進又は後退して螺合部の螺合作用が開放されたときの何れかにおいて螺合復帰するように弾性体が螺合部を付勢してもよい。
【００５８】
なお、雄螺子又は雌螺子は、間欠的に配される突起群又は螺旋状且つ間欠的に配される突起群のように螺子山と同様な働きをするものであってもよい。また、クリック歯５４，５６を設けずに塗布材押出容器１００，２００を構成してもよく、この場合、弾性体６１，７２によって適度且つ安定した回転抵抗を常時付与することができる。
【００５９】
また、本発明は、塗布材として、例えば、リップスティック、リップグロス、アイライナー、アイカラー、アイブロー、リップライナー、チークカラー、コンシーラー、美容スティック、ヘアーカラー等を始めとした種々の棒状化粧料、筆記用具等の棒状の芯等を押し出す棒状物押出容器に用いることも勿論可能である。
【図面の簡単な説明】
【００６０】
【図１】本発明の第１実施形態に係る塗布材押出容器の初期状態を示す縦断面図である。
【図２】図１の縦断面位置を９０°異なる位置とした縦断面図である。
【図３】図１の塗布材押出容器における操作筒を示す断面斜視図である。
【図４】図１の塗布材押出容器における移動体を示す斜視図である。
【図５】図１の塗布材押出容器におけるクリック雌螺子部材を示す断面斜視図である。
【図６】図１の塗布材押出容器におけるバネ部材を示す斜視図である。
【図７】図１の塗布材押出容器の拡大断面斜視図である。
【図８】図７の状態から移動体が所定量前進したときにおける塗布材押出容器の拡大断面斜視図である。
【図９】図８の状態から移動体が前進して前進限に達したときにおける塗布材押出容器の拡大断面斜視図である。
【図１０】本発明の第２実施形態に係る塗布材押出容器の初期状態を示す縦断面図である。
【図１１】図１０の塗布材押出容器におけるバネ部材のバネ受けを示す断面斜視図である。
【図１２】図１０に示す塗布材押出容器の図７に対応する拡大断面斜視図である。
【図１３】図１０に示す塗布材押出容器の図９に対応する拡大断面斜視図である。
【符号の説明】
【００６１】
２…本体筒（容器前部）、３…操作筒（容器後部）、４…移動体、５…クリック雌螺子部材（雌螺子部材）、７…塗布具（容器前部，容器先端）、８…螺合部、８ａ…雄螺子、８ｂ…雌螺子、４３…突起、５４…クリック歯（クリック歯の他方）、６１，７２…弾性体、６４…クリック歯（クリック歯の一方）、１００，２００…塗布材押出容器、Ｍ…塗布材。
【図１】
0004499811.tif 000002
【図２】
0004499811.tif 000003
【図３】
0004499811.tif 000004
【図４】
0004499811.tif 000005
【図５】
0004499811.tif 000006
【図６】
0004499811.tif 000007
【図７】
0004499811.tif 000008
【図８】
0004499811.tif 000009
【図９】
0004499811.tif 000010
【図１０】
0004499811.tif 000011
【図１１】
0004499811.tif 000012
【図１２】
0004499811.tif 000013
【図１３】
0004499811.tif 000014